(57)【特許請求の範囲】
【請求項１】
基板上に形成された多数のデータ電極ラインと、そのデータ電極ラインに直交するスキャン電極ラインと、双方の電極の間に形成された有機発光層とからなる有機ＥＬディスプレイであって、
各データ電極ラインは幅方向に少なくとも２本の電極ラインに分離されるようにパターニングされ、同時に長さ方向に分離して形成され、
各データ電極ラインは、
スキャン電極方向と直交する直交方向にそれぞれ形成されるとともに、各画素の前記直交方向における境界位置に対応した位置に突出部が形成された複数の補助電極ラインと、
前記補助電極ラインにそれぞれ連結され、それぞれの画素を駆動するように形成される複数の主電極と
からなり、
前記補助電極ライン上に第１絶縁膜を形成し、その第１絶縁膜上にビアホールを通して前記補助電極ラインの前記突出部とコンタクトされる前記主電極を形成し、その主電極上に第２絶縁膜を形成することを特徴とする有機ＥＬディスプレイ。
【請求項２】
前記主電極はＩＴＯより形成された透明電極であることを特徴とする請求項１記載の有機ＥＬディスプレイ。
【請求項３】
前記データ電極ラインは２本又は３本に分離してパターニングされることを特徴とする請求項１記載の有機ＥＬディスプレイ。
【請求項４】
前記データ電極ラインは上，下に分離して形成されることを特徴とする請求項３記載の有機ＥＬディスプレイ。
【発明の詳細な説明】
【０００１】
【発明の属する技術分野】
本発明は有機ＥＬディスプレイに関し、特にフラットパネルディスプレイのスキャンラインの数を減らして画素当たりの発光時間を増加させ、発光効率及び開口率を高くした有機ＥＬディスプレイに関する。
【０００２】
【従来の技術】
一般に、パッシブマトリックス有機ＥＬディスプレイパネルは高解像度のパネルであればあるほどピクセルの数が多く、これによってスキャンライン及びデータラインの数が増加する。
スキャンラインの数が増加すると、１ピクセルの発光時間はそれだけ短縮され、これによって単位時間当たり発光時間もが短くなるので、瞬間輝度もその分高くならなければならない。
【０００３】
図１のように、陽極ストリップを左右（図面上）に分割しそれぞれ独自にスキャンを行うことでスキャンラインの数を半分に減らし、発光効率及び寿命を向上させることが試みられている。
図２のように、陽極ストリップを分離してパターニングして、隣接する二つをそれぞれ別々の補助電極に連結し、それらの補助電極を上下別々に引き出すようにすると共に、スキャンラインをそれらの二つの分離された電極に共通に配置されるように２倍の広さに形成して、スキャンラインの数を半分に減らしたような方式もある。
【０００４】
【発明が解決しようとする課題】
しかしながら、図１及び図２のような方式はデータ印加が両側に分けられることによってデータ用チップを両側に共に使用することになり、原価上昇の問題が発生する。そして、２つの方式はスキャンラインを半分にしか減らせないという短所がある。
【０００５】
本発明は上記のような問題点を解決するために成されたものであって、フラットパネルディスプレイの製作に際してスキャンラインの数を大幅に減らし、データ電極を幅方向及び長さ方向に分けて、一本のスキャンラインが印加される時に駆動するデータラインの数を増加させ、画素の発光効率及び開口率が増加した有機ＥＬディスプレイを提供することが目的である。
【０００６】
【課題を解決するための手段】
上記目的を達成するための本発明による有機ＥＬディスプレイは、基板上に形成された多数のデータ電極ラインと、そのデータ電極ラインに直交するスキャン電極ラインと、電極の間に形成された有機発光層とからなる有機ＥＬディスプレイであって、各データ電極ラインはその幅方向に少なくとも２本の電極ラインに分離されるようにパターニングされ、同時に長さ方向にも分離して形成されたことを特徴とする。
【０００７】
好ましくは、各データ電極ラインはスキャン電極方向と直交する方向にそれぞれ形成される複数の補助電極ラインと、補助電極に連結され、それぞれの画素を駆動するように分離して形成された主電極とからなることを特徴とする。
【０００８】
好ましくは、主電極はＩＴＯより形成された透明電極であることを特徴とする。
【０００９】
好ましくは、補助電極ライン上に第１絶縁膜が形成され、その第１絶縁膜上にビアホールを通して補助電極ラインとコンタクトされる主電極を形成し、その主電極上に第２絶縁膜を形成することを特徴とする。
【００１０】
好ましくは、データ電極は２又は３に分離してパターニングされることを特徴とする。
【００１１】
好ましくは、データ電極ラインは分離して形成されることを特徴とする。
【００１２】
【発明の実施の形態】
以下、本発明による有機ＥＬディスプレイの好ましい実施形態を添付の図面を参照して説明する。
【００１３】
図３及び図４は本発明実施形態による有機ＥＬディスプレイのスキャン駆動の概念図を示すものである。
図３に示すように、本有機ＥＬディスプレイは、基板と、その基板上にマトリックス状に形成される図示しない第１電極（主電極）と第２電極１０ａ，１０ｂ、および補助電極２ａ、２ｂ、２ｃ、２ｄとを備えている。第２電極は基板上で２つの領域（ｓｃａｎ ａ，ｓｃａｎ ｂ）に分けられ、この分けられた領域（ｓｃａｎ ａ，ｓｃａｎ ｂ）における各電極ラインは同時にスキャンされる。第２電極の長さ方向に沿ってｓｃａｎ ａ領域では２つの画素からなる画素グループ３ａ，３ｂが配置されており、ｓｃａｎ ｂ領域では画素グループ３ｃ，３ｄが配列されている。これらの画素グループ３ａ，３ｂ；３ｃ，３ｄそれぞれに対して第２電極と直交する方向に少なくとも２本のラインより形成される補助電極２ａ、２ｂ；２ｃ、２ｄを備えている。各補助電極は少なくともそれぞれの画素を独立的に制御する。
【００１４】
２本の補助電極ライン２ａ、２ｂとそれぞれの画素に対応して設けられた第１電極とで主電極ライン、即ちデータ電極ラインを構成している。このデータ電極ラインは図示の用に図面上上下に分離されている。すなわち長さ方向に分離されている。この実施形態は、図２と同様に図１の１本のデータ電極ラインをその幅方向において２つに分離している。
【００１５】
すなわち、主電極ラインは幅方向に補助電極２ａと２ｂおよび２ｃと２ｄに分けられ、長さ方向に２ａと２ｃおよび２ｂと２ｄに分けられている。そして、この形態が幅方向に繰り返し配置されている。なお、幅方向とは図では左右であり、長さ方向とは上下方向である。
即ち、第２電極１０ａ，１０ｂが２つの部分（ｓｃａｎ ａ，ｓｃａｎ ｂ）１０ａ，１０ｂに分けられ、少なくとも２つの第２電極のそれぞれの領域の対応する電極に同時にスキャン信号が印加される時、補助電極２ａ，２ｂ，２ｃ，２ｄは長さ方向及び幅方向に分けられた少なくとも４本の補助電極に互いに異なるデータ信号が印加される。
【００１６】
言い換えると、有機ＥＬディスプレイによりディスプレイされる全体の画面を２つの部分に分けてｓｃａｎ ａ，ｓｃａｎ ｂを同時にスキャンするようにし、ｓｃａｎ ａ部分は幅方向に分けられた補助電極２ａ，２ｂにデータ信号ｄａｔａ ａ，ｄａｔａ ｂを印加し、ｓｃａｎ ｂ部分は幅方向に分けられた補助電極２ｃ，２ｄにデータ信号ｄａｔａ ｃ，ｄａｔａ ｄを印加して、１スキャン時間の間４つの画素が発光する。
このように、１つの補助電極を４つ以上に分けることにより、１／４以上のデュティサイクルが減少し、従って、１つの画素３ａ，３ｂ，３ｃ，３ｄの発光する時間が増加する。
【００１７】
図４は図３と同様に、第２電極１０ａ，１０ｂは２つの領域ｓｃａｎ ａ，ｓｃａｎ ｂに分けられ、この分けられた領域のｓｃａｎ ａ，ｓｃａｎ ｂの各電極ラインではスキャン信号が同時に印加され、画素グループが３つの画素で構成されている例である。したがって、主電極ラインには３本の補助電極が配置される。
【００１８】
補助電極２ａ，２ｂ，２ｃ；２ｄ，２ｅ，２ｆは第２電極１０ａ，１０ｂの長さ方向に配列される３つの画素からなる画素グループ３ａ，３ｂ，３ｃと３ｄ，３ｅ，３ｆ毎に３本のラインより形成され、隣接した３つの画素をそれぞれ別々に独立的に制御する。補助電極の３本のラインは同時にスキャンを行う電極１０ａ，１０ｂにより分けられた補助電極２ａ，２ｂ，２ｃと２ｄ，２ｅ，２ｆを含む。
即ち、第２電極１０ａ，１０ｂが２つの領域ｓｃａｎ ａ，ｓｃａｎ ｂに分けられ、少なくとも２つの第２電極にスキャン信号が同時に印加される時、補助電極の長さ方向及び幅方向に分けられた少なくとも６本の補助電極に互いに異なるデータ信号が印加される。
【００１９】
言い換えると、有機ＥＬディスプレイによりディスプレイされる全体の画面を２つの部分に分けてｓｃａｎ ａ，ｓｃａｎ ｂを同時にスキャンし、ｓｃａｎ ａ部分は幅方向に分けられた補助電極２ａ，２ｂ，２ｃにデータ信号ｄａｔａ ａ，ｄａｔａ ｂ，ｄａｔａ ｃを印加し、ｓｃａｎ ｂ部分は幅方向に分けられた補助電極２ｄ，２ｅ，２ｆにデータ信号ｄａｔａ ｄ，ｄａｔａ ｅ，ｄａｔａｆを印加して、１スキャン時間の間に６つの画素が発光する。
従って、１つの補助電極を６つ以上に分けることで、１／６以上のデュティサイクルが減少し、これにより、１つの画素３ａ，３ｂ，３ｃ，３ｄ，３ｅ，３ｆが発光する時間が増加する。
【００２０】
図５ａ〜図５ｅは図３の概念図による本発明の第１実施形態であって、有機ＥＬディスプレイの製造工程の平面図である。
図５は図３の概念図の中ｓｃａｎ ａ，ｓｃａｎ ｂの何れか一部分だけ示すものである。なお、図３とは９０゜向きを変えて描いている。
【００２１】
図５ｅに示すように、有機ＥＬディスプレイは基板１と、各画素に対応させてパターニングして形成された第１電極５ａ，５ｂと、第１電極５ａ，５ｂと図示しない第２電極とが交差する領域に少なくとも２個の画素を一方向に配列して形成される画素グループと、１つの画素グループ毎に少なくとも２本のラインとして配列される補助電極２ａ，２ｂと（各補助電極２ａ，２ｂはグループの２つの画素にそれぞれ連結されている）を有する。補助電極２ａ，２ｂは、少なくとも２つの画素３ａ，３ｂをそれぞれ制御するために補助電極２ａ，２ｂをビアホール４ａを介してそれぞれの第１電極に接続される。第１電極を覆うように第１絶縁膜４−１を形成させ、その第１電極５ａ，５ｂの上に図示しない有機発光層を形成し、その有機発光層に図示しない第２電極が形成されている。
【００２２】
また、第１電極５パターンのエッジ部分をカバーするように基板１上に形成された第２絶縁膜４−２と、一方向に配列された２つの画素グループ毎に１つずつ形成され、２つの画素グループを同時にスキャン駆動するように第２電極を２つの画素グループ毎に電気的に隔離させる隔壁６とを更に含んでいる。
【００２３】
補助電極２ａ，２ｂは、ストライプパターンのバーと、隣接した少なくとも２つの画素の何れか一方の画素を制御するようにバーと連結された突出部を含んでいる。
そして、第１絶縁膜４−１は補助電極２ａ，２ｂの突出部の位置にビアホール４ａを有している。ビアホール４ａを通して補助電極２ａ，２ｂと第１電極５とが電気的に連結されている。
【００２４】
図５ｅのように、補助電極２ａ，２ｂの突出部を１画素の一方の端部に１つずつ割り当てるように形成してもよいが、図６のように、補助電極２ａ，２ｂの突出部を、隣接した画素の間に２つずつ形成することも可能である。
【００２５】
図６は図３の概念図による本発明の第２実施形態であって、その構成は上記のように突出部の違いのみであり、他は第１実施形態と同様であるのでその説明は省略する。
第１，２実施形態のように、補助電極との電気的なコンタクトのためビアホールを補助電極の突出部に形成することで、画素の開口率及び発光効率を増加させることができる。
【００２６】
以下、上記のような有機ＥＬディスプレイの製造方法を図５ａ〜図５ｅを参照して説明する。
【００２７】
図５ａのように、基板１上にスキャンライン方向の１画素グループ毎にスキャンライン方向と垂直に互いに平行した２本のラインから形成され、奇数番目の画素３ａは一方のラインにより制御し、偶数番目の画素３ｂは他方のラインにより制御する補助電極２ａ，２ｂを形成する。それぞれの補助電極に突出領域ａを設ける。
【００２８】
次いで、図５ｂのように、第１絶縁膜４−１を形成した後、２本のラインの補助電極２ａ，２ｂが奇数及び偶数番目の画素３ａ，３ｂをそれぞれ制御するように、隣接した２本のラインの補助電極２ａ，２ｂの突出領域ａの一部が露出するようにビアホール４ａを形成する。
【００２９】
次いで、図５ｃのように、２本のラインの補助電極２ａ，２ｂが奇数、偶数番目の画素３ａ，３ｂをそれぞれ独立に制御するために補助電極２ａ，２ｂとコンタクトするように、ビアホール４ａを含む第１電極５を補助電極２ａ，２ｂの上部に透明な導電性の物質をパターニングして形成する。
【００３０】
次いで、図５ｄのように、第１電極５パターンのエッジ部分をカバーするように、基板１上に第２絶縁膜４−２を更に形成する。
【００３１】
次いで、図５ｅのように、一方向に配列された２つの画素が外部のスキャンライン（図示せず）と連結され、２つの画素が同時にスキャン駆動されるように、第２電極を１つの画素グループ毎に電気的に隔離させる隔壁６を形成する。
【００３２】
第１電極５の上部に有機発光層（図示せず）を形成する。
即ち、補助電極２ａ，２ｂと交差する方向の２つの画素３ａ、３ｂによるグループ毎に隔壁６を形成した後、有機発光層を設けその上に第２電極（図示せず）を形成した後、パシベーション、インキャップシュレーションを行うことで素子が完成する。
【００３３】
一方向に配列された画素グループの隣接した２つの画素を同時にスキャン駆動するように、補助電極２ａ，２ｂと交差する方向に隣接した画素グループ毎に一本のスキャンライン（図示せず）を連結する段階を更に備えいる。
補助電極の材料は電導性の物質を使用すれば好ましく、特に、Ｃｒ，Ｍｏ，Ａｌ，Ｃｕ，これらの合金及び２つ以上を同時に使用することも可能である。厚さは０．０１〜１０μｍであり、線幅は素子によって異なるように形成できる。
【００３４】
絶縁膜４−１，４−２の材料としては、無機及び有機絶縁膜共に使用可能であり、無機絶縁膜としては酸化系絶縁膜（ｏｘｉｄｅ類、ＳｉＯ２）と窒化系絶縁膜（ｎｉｔｒｉｄｅ類，ＳｉＮｘ）が好ましく、有機絶縁膜としてはポリマー（特に、ｐｏｌｙａｃｒｙｌ類，ｐｏｌｙｉｍｉｄｅ類，ｎｏｖｏｌａｃ，ｐｏｌｙｐｈｅｎｙｌ，ｐｏｌｙｓｔｙｒｅｎｅ）であれば良い。また、絶縁膜の厚さは０，０１〜１０μｍであれば良く、可視光線に対して吸光度の低い物質が好ましい。
【００３５】
発光領域内の第１電極５ａ，５ｂの一部分は絶縁膜４−２で覆うべきであり、これは第１電極５ａ，５ｂと第２電極の短絡を防止するため、工程中に損傷しやすい第１電極５ａ，５ｂのエッジ部分をカバーするためである。
また、第１電極５ａ，５ｂは透明電極であり、第２電極は金属電極である。
【００３６】
【発明の効果】
以上説明したような本発明による有機ＥＬディスプレイによれば、フラットパネルディスプレイの製作に際して、スキャンラインの数を大幅に減らし、１列に並ぶ第１電極を画素ごとに形成させ、複数の画素を画素グループとしてまとめ、１本のスキャンラインがスキャンする時に画素グループごとに駆動するようにして、データラインの数を増加させることで、画素の発光効率及び開口率を増加させることができる。
【図面の簡単な説明】
【図１】従来技術による有機ＥＬディスプレイのスキャン駆動概念図。
【図２】従来技術による有機ＥＬディスプレイのスキャン駆動概念図。
【図３】本発明による有機ＥＬディスプレイのスキャン駆動概念図。
【図４】本発明による有機ＥＬディスプレイのスキャン駆動概念図。
【図５ａ】図３の概念図による本発明の第１実施形態。
【図５ｂ】図３の概念図による本発明の第１実施形態。
【図５ｃ】図３の概念図による本発明の第１実施形態。
【図５ｄ】図３の概念図による本発明の第１実施形態。
【図５ｅ】図３の概念図による本発明の第１実施形態。
【図６】図３の概念図による本発明の第２実施形態。
【符号の説明】
１：透明基板
２ａ，２ｂ，２ｃ，２ｄ，２ｅ，２ｆ：補助電極
３ａ，３ｂ，３ｃ，３ｄ，３ｅ，３ｆ：画素
４−１，４−２：絶縁膜
４ａ：ビアホール
５ａ，５ｂ，５ｃ：第１電極
６：隔壁
【図１】
0003782380.tif 000002
【図２】
0003782380.tif 000003
【図３】
0003782380.tif 000004
【図４】
0003782380.tif 000005
【図５ａ】
0003782380.tif 000006
【図５ｂ】
0003782380.tif 000007
【図５ｃ】
0003782380.tif 000008
【図５ｄ】
0003782380.tif 000009
【図５ｅ】
0003782380.tif 000010
【図６】
0003782380.tif 000011